(57)【要約】【課題】  門型洗車機本体に、側面部、上面ブラシおよびロッカーブラシを備えた門型洗車機において、ロッカーブラシにより、車両のロッカー部を傷付けることなく、そのロッカー部の洗浄効果を高める。【解決手段】  門型洗車機本体１の前後方向の前方に側面ブラシ２３を、その後方に上面ブラシ１６を配置し、上面ブラシ１６の下方にロッカーブラシ４０を配置し、上面ブラシ１６は、門型洗車機本体１に軸支した揺動アーム１０の自由端部に回転自在に支持され、ロッカーブラシ４０のロッカー回転軸４５は、上から下に向けて被洗浄車両Ｖに近づく方向に鉛直線ｖ−ｖに対して傾斜させる。【選択図】    図２
2011020576.tif 000002
【特許請求の範囲】
【請求項１】
門型洗車機本体に、側面ブラシ、上面ブラシおよびロッカーブラシを備えており、門型洗車機本体が被洗浄車両に対して相対移動するようにした門型洗車機において、
門型洗車機本体の前後方向の前方に側面ブラシを、その後方に上面ブラシをそれぞれ配置すると共に上面ブラシの下方にロッカーブラシを配置し、
上面ブラシは、門型洗車機本体に前後方向に揺動可能に軸支した揺動アームの自由端部に回転自在に支持されて昇降可能であり、
前記ロッカーブラシのロッカー回転軸は、上から下に向けて前記被洗浄車両に近づく方向に鉛直線に対して傾斜していることを特徴とする、門型洗車機のブラシ装置。
【発明の詳細な説明】
【技術分野】
【０００１】
本発明は、門型洗車機本体に、側面ブラシ、上面ブラシおよびロッカーブラシを備えた門型洗車機のブラシ装置に関する。
【背景技術】
【０００２】
従来、車両洗車位置に停車する被洗浄車両に対して門型洗車機本体を往復移動させることにより洗車を行なうようにした門型洗車機において、門型洗車機本体に、その前部から後部に順に上面ブラシ、側面ブラシを配置し、上面ブラシの下部にロッカーブラシを配置し、上面ブラシは、門型門洗車機本体に前後方向に揺動可能に軸支した揺動アームに設けて昇降するようにしたものは公知である。（後記特許文献１参照）。
【先行技術文献】
【特許文献】
【０００３】
【特許文献１】実開平２−５１９６０号マイクロフィルム
【発明の概要】
【発明が解決しようとする課題】
【０００４】
ところが、かかる門型洗車機では、上面ブラシは門型洗車機本体の前後方向に揺動して昇降するため、その上面ブラシと側面ブラシとが干渉しないようにして車高の高い（最近では、車高が２メートル以上の車両が存在する）被洗浄車両を洗浄できるようにすると、門型洗車機本体の前後幅が長くなり、洗車スペースが大きくなるという問題があった。
【０００５】
また、ロッカーブラシが側面ブラシの前方に配置されているので、門型洗車機本体の往行により、被洗浄車両を洗浄するときに、洗浄力が高いロッカーブラシで車両のロッカー部（車体側面下部）をいきなり洗浄すると、そのロッカー部を傷める虞があるという問題もあった。
【０００６】
本発明は、上記実情にに鑑みてなされたもので、前記問題を解決し、洗車スペースを小さくでき、また、ロッカーブラシで車両のロッカー部を傷める虞がなく、そのロッカー部の洗浄効果を高めるようにした新規な、門型洗車機のブラシ装置を提供することを目的とする。
【課題を解決するための手段】
【０００７】
前記目的達成のため、請求項１記載の発明は、門型洗車機本体に、側面ブラシ、上面ブラシおよびロッカーブラシを備えており、門型洗車機本体が被洗浄車両に対して相対移動するようにした門型洗車機において、
門型洗車機本体の前後方向の前方に側面ブラシを、その後方に上面ブラシをそれぞれ配置すると共に上面ブラシの下方にロッカーブラシを配置し、
上面ブラシは門型洗車機本体に前後方向に揺動可能に軸支した揺動アームの自由端部に回転自在に支持されて昇降可能であり、
前記ロッカーブラシのロッカー回転軸は、上から下に向けて前記被洗浄車両に近づく方向に鉛直線に対して傾斜していることを特徴としている。
【発明の効果】
【０００８】
本発明によれば、門型洗車機本体の前後方向の前方に側面ブラシを、その後方に上面ブラシを、それぞれ配置すると共に上面ブラシの下方にロッカーブラシを配置したので、門型洗車機本体の前後方向の長さを短縮することができ、これにより洗車スペースを小さくすることができと共に、側面ブラシで車両のロッカー部に付着する泥土などによる汚れを予備洗浄した後に、そのロッカー部を側面ブラシよりも洗浄力が高いロッカーブラシで主たる洗浄をするので、そのロッカー部をロッカーブラシで傷付けることなく、そのロッカー部の洗浄効果を高めることができる。
【図面の簡単な説明】
【０００９】
【図１】門型洗車機の側面図
【図２】図１の２−２線に沿う門型洗車機の後面図
【図３】図１の３−３線に沿う門型洗車機の前面図
【図４】図２の４−４線に沿う門型洗車機の上面図
【図５】側面ノズルおよびロッカーブラシによる車体の洗浄過程を示す図
【発明を実施するための形態】
【００１０】
本発明の実施の形態を、添付図面に例示した本発明の実施例に基づいて以下に具体的に説明する。
【００１１】
図１〜４において、門型洗車機の門型洗車機本体１は、被洗浄車両Ｖを跨ぎ得る門型フレーム２を備える。この門型フレーム２は、その後部の上面フレームが切り欠かれて平面視で凹状に形成されている。この門型フレーム２に設けられた左右一対の前車輪３，３および左右一対の後車輪４，４は、設置面上に敷設される左右一対の走行レール５，５上を往復走行する。前車輪３，３には、門型洗車機本体１に設けた走行モータ６，６が連結され、これらの走行モータ６，６を駆動して門型フレーム２を一対の走行レール５，５上を往復走行させることができる。
【００１２】
門型洗車機本体１の設置面上には、スタート位置カム７が設けられている。また、門型洗車機本体１の主体部分を構成する走行フレーム２には、スタート位置カム７に当たって門型洗車機本体１がスタート位置にあることを検出するスタート位置検出スイッチ８が設けられている。
【００１３】
門型フレーム２の前後方向の後部には、被洗浄車両Ｖの車両上面を洗浄する上面ブラシ装置ＴＢが設けられ、また、その上面ブラシ装置ＴＢよりも前方の、門型フレーム２の前後方向の中間部に、被洗浄車両Ｖの左、右両側面および前後面を洗浄する側面ブラシ装置ＳＢが設けられ、上面ブラシ装置ＴＢの下方に車両Ｖのロッカー部を洗浄する一対のロッカーブラシ装置ＲＢ，ＲＢが設けられ、さらに、側面ブラシ装置ＳＢの前方には、被洗浄車両Ｖの上面を乾燥する昇降可能なトップノズルＴＮおよび被洗浄車両Ｖの側面を乾燥するサイドノズルＳＮよりなる乾燥装置Ｄが設けられている。
【００１４】
乾燥装置Ｄと側面ブラシ装置ＳＢとの間には、入口リンス装置ＲＩが、また、側面ブラシ装置ＳＢと上面ブラシ装置ＴＢとの間には出口リンス装置ＲＥがそれぞれ設けられている。
【００１５】
つぎに、図１，２を参照して、上面ブラシ装置ＴＢの構成について説明する。
【００１６】
門型フレーム２の後部の左右両側には、左右一対の揺動アーム１０，１０が同一水平軸線Ｈ−Ｈ上に軸受１１，１２を介してそれぞれ回転自在に支持されている。各揺動アーム１０は、クランク状に形成されており、前記軸受１１，１２に支持される水平な支持軸部１０ａと、支持軸部１０ａの内端に固定されて鉛直方向に延びる内側アーム部１０ｂと、支持軸部１０ａの外端に固定されて鉛直方向に延びる外側アーム部１０ｃとより構成されている。左右の内側アーム部１０ａ，１０ａの自由端部間には、水平方向に延びる回転軸１３が軸受１４，１５を介して回転自在に支持され、この回転軸１３に上面ブラシ１６が一体に回転できるように支持されている。右側の内側アーム部１０の先端部には、回転モータ１７が支持されており、この回転モータ１７の出力軸は、回転軸１３に連結されており、この回転モータ１７の駆動によれば、上面ブラシ１６が回転軸１３と共に回転される。揺動アーム１０，１０の揺動により、上面ブラシ１６は、支持軸部１０ａ，１０ａ回りに回動しつつ昇降され、そのとき、上面ブラシ１６の一部は、門型フレーム２の後面よりも後方に突出される。
【００１７】
上面ブラシ１６は、従来公知のもので、合成樹脂製ブラシ毛、ブラシ布帛などにより構成される。
【００１８】
左右の内側アーム部１０ｂ，１０ｂの基端部には、第１バランスウェイト１９1 ，１９1 がそれぞれ固定され、また、左右の外側アーム部１０ｃ，１０ｃの先端部には、第２バランスウェイト１９2 ，１９2 がそれぞれ固定されている。
【００１９】
揺動アーム１０の支持軸部１０ａの中間部には、作動アーム２０が固定され、この作動アーム２０と門型フレーム２間には、揺動シリンダ２１が連結されており、この揺動シリンダ２１の伸長作動により、揺動アーム１０を上限位置に回動し、上面ブラシ装置ＴＢは格納位置（図１、実線位置）に保持される。
【００２０】
つぎに、図１，３，４を参照して、側面ブラシ装置ＳＢの構成について説明するに、この側面ブラシ装置ＳＢは、門型フレーム２の左右方向に開閉可能な一対の側面ブラシ２３，２３を備える。門型フレーム２の上部に横架固定した案内レール２４には、一対の移動体２５，２５が、そこに設けた駆動輪２６および従動輪２７を介して接近・離間方向に開閉移動できる支持されている。駆動輪２６には、開閉モータ２８が連結され、この開閉モータ２８の駆動により、各移動体２５は、案内レール２４に沿って走行され、一対の移動体２５、２５は、案内レール２４に沿って相互に、接近・離間可能である。
【００２１】
図３に示すように、一対の移動体２５，２５には、支持筒２９，２９が、その軸線ｌ−ｌを鉛直線ｖ−ｖに対して上から下に向けて門型洗車機本体１の左右方向の外側方に広がる方向に傾斜させて固定されており、それらの支持筒２９，２９には、側面ブラシ２３，２３を設けた回転軸３０，３０が回転自在に貫通支持されており、これらの回転軸３０の各軸線ｌ′−ｌ′は前記支持筒２９，２９の各軸線ｌ−ｌの延長線上にあり、各回転軸３０の傾斜角θは、２°〜７°、好ましくは３°に恒久的に設定される。この傾斜角θは、後に述べるように、バン型のように車高の高い車両およびセダン型のように車高の低い車両のいずれの車両側面の傾斜角にも概ね適合する角度とされる。
【００２２】
各回転軸３０の上端には、移動体２５に支持した回転モータ３１が連結されており、この回転モータ３１の駆動によれば、側面ブラシ２３が正逆回転される。円筒状の側面ブラシ２３は、上部２３ｕと、これよりの小径の下部２３ｌと、上部２３ｕと下部２３ｌとを接続する截頭円錐形の中間部２３ｍとより構成されている。
【００２３】
しかして、側面ブラシ２３の回転軸３０の軸線ｌ′−ｌ′は鉛直線ｖ−ｖに対して上から下に向けて外側方に傾斜していることにより、側面ブラシ２３を被洗浄車両Ｖの、上から下に向けて外側に広がる車両側面に沿わせることができ、側面ブラシ２３の回転による、車両側面の洗浄効果が高められる。
【００２４】
つぎに、図１，２，４を参照して、上面ブラシ装置ＴＢの下方に配置される一対のロッカーブラシ装置ＲＢ，ＲＢの構成について説明するに、一対のロッカーブラシ装置ＲＢ，ＲＢは、門型フレーム２の左右側部の下半部に対称的に設けられており、それらは同じ構造を備えているので、以下に、それらの一方のロッカーブラシ装置ＲＢについて説明する。
【００２５】
門型フレーム２の側部には、上下方向に延びるロッカー揺動軸４１が軸受４２を介して回転自在に支持されており、このロッカー揺動軸４１の上部に、ロッカー揺動アーム４３の基端が固定されている。このロッカー揺動アーム４３は、その先端が高くなっていて、その先端には、減速機付きの回転モータ４４が支持されている。この回転モータ４４の出力軸には、ロッカー揺動アーム４３に回転自在に支持されるロッカー回転軸４５が連動、連結されており、このロッカー回転軸４５には、ロッカーブラシ４０が固定されている。      
【００２６】
図２に示すように、ロッカー回転軸４５は、鉛直方向に延びるロッカー揺動軸４１に対して上から下に向けて離れる方向に傾斜しており、したがって、後に述べるように、ロッカーブラシ４０が車両Ｖのロッカー部（車体側面下部）を洗浄するときは、ロッカーブラシ４０のロッカー回転軸４５は、その下から上に向けて車両Ｖの側面から離れる方向に鉛直線ｖ−ｖに対して傾斜する。そして、この傾斜により、ロッカーブラシ４０は、側面ブラシ２３よりも車両Ｖのロッカー部への接触圧が強くなり、側面ブラシ２３よりも洗浄力が高くなるようにされている。
【００２７】
ロッカー揺動軸４１には、シリンダアーム４６とバネアーム４７が固定されており、シリンダアーム４６の先端には、門型フレーム２に揺動可能に軸支した開閉シリンダ４８の先端がピン連結されており、また、バネアーム４７の先端と門型フレーム２との間には、引張バネ４９が連結されている。開閉シリンダ４８を収縮作動すると、ロッカーブラシ４０をロッカー揺動アーム４３と共に開限位置（格納位置）に保持し、また、開閉シリンダ４８をフリーにすると、引張バネ４９の引張力によりロッカーブラシ４０を閉じ位置（洗浄位置）に保持して、ロッカーブラシ４０を車両Ｖのロッカー部に押し付ける。
【００２８】
図１に示すように、入口リンス装置ＲＩおよび出口リンス装置ＲＥは、門型フレーム２の内側に支持された門型のリンス管３３，３４を備えており、それらのリンス管３３，３４には、被洗浄車両Ｖに向けた、複数の入口リンスノズル３３ｎ…，３４ｎ…がそれぞれ設けられている。
【００２９】
図１において、３５は、門型フレーム２の前面に設けた洗車制御盤である。
【００３０】
上面ブラシ装置ＴＢによる被洗浄車両Ｖの車両上面の洗浄が行われ、この洗浄行程は、従来のものと変わることがなく、走行レール５，５間に停車している被洗浄車両Ｖの前方のスタート位置（待機位置）に門型洗車機本体１が位置している状態で、回転モータ１７の駆動により、上面ブラシ１６を矢印ａ方向に回転し、走行モータ６の駆動により、門型洗車機本体１を図１、矢印ｂ方向に往行させると、回転する上面ブラシ１６の外周面が車両上面に追従接触するように、揺動アーム１０が、その支持軸部１０ａまわりに揺動され、その車両上面をブラシング洗浄する。
【００３１】
また、側面ブラシ装置ＳＢにより、車体前面および車体両側面の洗浄が行われ、この洗浄行程も従来のものと変わるところがない。
【００３２】
離間位置にある左右移動体２５，２５を相互に閉じ方向に移動させ、側面ブラシ２３，２３を回転させる。門型洗車機本体１の往走行に伴って、側面ブラシ２３，２３は車両Ｖの前面を洗浄し、ついで、門型フレーム２の往行に伴い、側面ブラシ２３，２３を車両Ｖの前面から側面に沿うように追従させて車両Ｖの側面を洗浄する。
【００３３】
図５（Ａ）（Ｂ）に示すように、門型洗車機本体の往走行に伴い、洗浄位置にあるロッカーブラシ４０，４０が車両前面に接触し、ロッカーブラシ４０，４０は、引張バネ４９，４９の引張力に抗して洗車機本体１の後方へ揺動して車体側面のロッカー部に接触する。これにより、側面ブラシ２３，２３が洗浄した後の車両Ｖのロッカー部をロッカーブラシ４０，４０により洗浄する。このとき、ロッカーブラシ４０，４０は上から下に向けて車両Ｖに近づく方向に傾斜されているので、そのロッカー部の洗浄効果が高められる。
【００３４】
このように、車両のロッカー部を、ロッカーブラシに先立って側面ブラシ２３，２３により予備洗浄して、そこに付着している泥土などを取り除く軽度な洗浄を行った後に、側面ブラシ２３，２３よりも洗浄力が高いロッカーブラシ４０，４０により主たる洗浄をするので、車両Ｖのロッカー部をロッカーブラシ４０，４０で傷める虞がない。
【００３５】
もし仮に、ロッカーブラシ４０，４０により、いきなり車両Ｖのロッカー部を洗浄すると、そのロッカー部に付着している泥土などの汚れ要素の中に含まれる小石などの細かい固形物が、洗浄力が高いロッカーブラシ４０，４０により車両のロッカー部に擦り付けられて該ロッカー部を傷付ける虞がある。
【００３６】
以上、本発明の実施例について説明したが、本発明はその実施例に限定されることなく、本発明の範囲内で種々の実施例が可能である。
【符号の説明】
【００３７】
１・・・・・・・・・門型洗車機本体
１０・・・・・・・・揺動アーム
１６・・・・・・・・上面ブラシ
２３・・・・・・・・側面ブラシ
３４ｎ・・・・・・・出口リンスノズル
４０・・・・・・・・ロッカーブラシ
４５・・・・・・・・ロッカー回転軸
Ｖ・・・・・・・・・被洗浄車両
ｖ−ｖ・・・・・・・鉛直線
【図１】
2011020576.tif 000003
【図２】
2011020576.tif 000004
【図３】
2011020576.tif 000005
【図４】
2011020576.tif 000006
【図５】
2011020576.tif 000007